(57)【要約】【課題】ミニトマトのように１包装に必要な個数が多い対象に関しても簡便な構成で効率の良い秤量が可能な、複数の計量部位を有する計量機及びその使用方法を実現する。【解決手段】野菜・食品等を秤量するための複数の計量部位を有する計量機及びその使用方法において、該計量機の各計量部位は近傍にマトリクス表示素子を備え、該計量機の各計量部位に於いて秤量を行うにあたり、予め設定された目標とする１包装の重量に対する実重量の差分を計算する機構と、該差分から目標とする１包装の重量に達するために追加あるいは取り除く個数を計算する機構と、該マトリクス表示素子に該計算された追加あるいは取り除く個数を表示する機構と、秤量が予め設定された目標とする１包装の重量に適合した場合に該マトリクス表示素子に適当であることを示す表示をする機構とを有するようにした。【選択図】図１
2020008359.tif 000002
【特許請求の範囲】
【請求項１】
野菜・食品等を秤量するための複数の計量部位を有する計量機において、
該計量機の各計量部位は近傍にマトリクス表示素子を備え、
該計量機の各計量部位に於いて秤量を行うにあたり、予め設定された目標とする１包装の重量に対する実重量の差分を計算する機構と、
該差分から目標とする１包装の重量に達するために追加あるいは取り除く個数を計算する機構と、
該マトリクス表示素子に該計算された追加あるいは取り除く個数を表示する機構と、
秤量が予め設定された目標とする１包装の重量に適合した場合に該マトリクス表示素子に適当であることを示す表示をする機構とを有することを特徴とする、
複数の計量部位を有する計量機。
【請求項２】
該マトリクス表示素子は、マトリクスＬＥＤ表示素子であることを特徴とする、
請求項１記載の複数の計量部位を有する計量機。
【請求項３】
該計算された追加あるいは取り除く個数の表示は、
追加が必要な場合は追加すべき個数を示す数字を、取り除く必要がある場合は取り除くべき個数を示すマイナス記号を付した数字を表示することを特徴とする、
請求項１又は２記載の複数の計量部位を有する計量機。
【請求項４】
該計算された追加あるいは取り除く個数の表示は、
追加が必要な場合は追加すべき個数を示す数字を、取り除く必要がある場合は取り除くべき個数を示すマイナス記号を付した数字を表示し、
さらにその発光色を異なって設定されていることを特徴とする、
請求項３記載の複数の計量部位を有する計量機。
【請求項５】
秤量が予め設定された目標とする１包装の重量に適合した場合に、
該マトリクス表示素子に丸印、全点灯を含む秤量が好適である旨を示す記号を表示し、
さらにその発光色は追加あるいは取り除く個数の表示とは異なって設定されていることを特徴とする、
請求項１乃至４の何れか一に記載の複数の計量部位を有する計量機。
【請求項６】
該計量機の各計量部位に於いて秤量を行うにあたり、
複数の計量部位は夫々独立且つ並行して計算及び表示を行うことを特徴とする、
請求項１乃至５の何れか一に記載の複数の計量部位を有する計量機。
【請求項７】
該計量機の各計量部位近傍のマトリクス表示素子に於ける表示は、
載置或いは追加又は取り除き後の計算中は点滅表示であり、計算終了後には連続点灯となることを特徴とする、
請求項１乃至６の何れか一に記載の複数の計量部位を有する計量機。
【請求項８】
該予め設定された目標とする１包装の重量は、
下限及び許容範囲を含めた上限を手動で設定できることを特徴とする、
請求項１乃至７の何れか一に記載の複数の計量部位を有する計量機。
【請求項９】
野菜・食品等を秤量するための複数の計量部位を有する計量機において、
該計量機の各計量部位は近傍にマトリクス表示素子を備え、
該計量機の各計量部位に於いて秤量を行うにあたり、予め設定された目標とする１包装の重量に対する実重量の差分を計算する機構と、
該差分から目標とする１包装の重量に達するために追加あるいは取り除く個数を計算する機構と、
該マトリクス表示素子に該計算された追加あるいは取り除く個数を表示する機構とを備え、
該追加あるいは取り除く個数を計算する基準となる標準個別重量の設定において、
手動及び／又は自動設定機構を備えることを特徴とする、
請求項１乃至８の何れか一に記載の複数の計量部位を有する計量機。
【請求項１０】
該複数の計量部位を有する計量機は、
対向する２列の計量部位を備え、
複数の作業者が同時に作業を行えることを特徴とする、
請求項１乃至９の何れか一に記載の複数の計量部位を有する計量機。
【請求項１１】
該複数の計量部位を有する計量機は、
複数の計量部位のうち応答する計量部位数を制限する機構を備え、
作業効率の向上を齎すことを特徴とする、
請求項１乃至１０の何れか一に記載の複数の計量部位を有する計量機。
【請求項１２】
該複数の計量部位を有する計量機は、
計量 、計算及び表示に関してその応答速度を調整する機構を備え、
作業効率の向上を齎すことを特徴とする、
請求項１乃至１１の何れか一に記載の複数の計量部位を有する計量機。
【請求項１３】
該計量機に於ける計量 、計算及び表示に関してその応答速度を調整する機構は、
高速モード及び低速モードの２つのモードを切り替えることができる機構であることを特徴とする、
請求項１２記載の複数の計量部位を有する計量機。
【請求項１４】
該複数の計量部位を有する計量機は、
各計量部位の計量皿に載置された秤量対象物の一部または全部が取り去られ或いは追加された場合、即ち１個或いは複数の秤量部のいずれかの計測値が一定以上変動した場合に、自動的に再計算を行い、再度結果表示を行うことを特徴とする、
請求項１乃至１３の何れか一に記載の複数の計量部位を有する計量機。
【請求項１５】
該複数の計量部位を有する計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１乃至１４の何れか一に記載の複数の計量部位を有する計量機。
【請求項１６】
該計量機は、
ソフトウェアの追加或いは既に搭載されたソフトウェアの切り替えにより、
組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする、
請求項１乃至１５の何れか一に記載の複数の計量部位を有する計量機。
【請求項１７】
該計量機は、
ＵＳＢメモリを含む外部記憶装置を接続する機構を有し、
データの保管及び管理が可能であることを特徴とする、
請求項１乃至１６の何れか一に記載の複数の計量部位を有する計量機。
【請求項１８】
該計量機は、
対象物品の価格データ等との統合計算を行う機能を有し、
荷受処理、出荷処理、伝票発行及びネットワークを介してのこれらのデータの転送或いは送受信が可能であることを特徴とする、
請求項１乃至１７の何れか一に記載の複数の計量部位を有する計量機。
【請求項１９】
野菜・食品等を秤量するための複数の計量部位を有する計量機の使用方法であって、
該計量機の各計量部位は近傍にマトリクス表示素子を備え、
該計量機の各計量部位に於いて秤量を行うにあたり、予め設定された目標とする１包装の重量に対する実重量の差分を計算する機構と、
該差分から目標とする１包装の重量に達するために追加あるいは取り除く個数を計算する機構と、
該マトリクス表示素子に該計算された追加あるいは取り除く個数を表示する機構と、
秤量が予め設定された目標とする１包装の重量に適合した場合に該マトリクス表示素子に適当であることを示す表示をする機構とを有する計量機を用い、
該マトリクス表示素子に追加あるいは取り除く個数が表示された場合は指示された個数を追加あるいは取り除き、
該マトリクス表示素子に丸印、全点灯を含む秤量が好適である旨を示す記号を表示された場合はこれを完了品としてピックアップすることを特徴とする、
複数の計量部位を有する計量機の使用方法。
【請求項２０】
該マトリクス表示素子は、マトリクスＬＥＤ表示素子であることを特徴とする、
請求項１９記載の複数の計量部位を有する計量機の使用方法。
【請求項２１】
該計算された追加あるいは取り除く個数の表示は、
追加が必要な場合は追加すべき個数を示す数字を、取り除く必要がある場合は取り除くべき個数を示すマイナス記号を付した数字を表示することを特徴とする、
請求項１９又は２０記載の複数の計量部位を有する計量機の使用方法。
【請求項２２】
該計算された追加あるいは取り除く個数の表示は、
追加が必要な場合は追加すべき個数を示す数字を、取り除く必要がある場合は取り除くべき個数を示すマイナス記号を付した数字を表示し、
さらにその発光色を異なって設定されていることを特徴とする、
請求項２１記載の複数の計量部位を有する計量機の使用方法。
【請求項２３】
秤量が予め設定された目標とする１包装の重量に適合した場合に、
該マトリクス表示素子に丸印、全点灯を含む秤量が好適である旨を示す記号を表示し、
さらにその発光色は追加あるいは取り除く個数の表示とは異なって設定されていることを特徴とする、
請求項１９乃至２２の何れか一に記載の複数の計量部位を有する計量機の使用方法。
【請求項２４】
該計量機の各計量部位に於いて秤量を行うにあたり、
複数の計量部位は夫々独立且つ並行して計算及び表示を行うことを特徴とする、
請求項１９乃至２３の何れか一に記載の複数の計量部位を有する計量機の使用方法。
【請求項２５】
該計量機の各計量部位近傍のマトリクス表示素子に於ける表示は、
載置或いは追加又は取り除き後の計算中は点滅表示であり、計算終了後には連続点灯となることを特徴とする、
請求項１９乃至２４の何れか一に記載の複数の計量部位を有する計量機の使用方法。
【請求項２６】
該予め設定された目標とする１包装の重量は、
下限及び許容範囲を含めた上限を手動で設定できることを特徴とする、
請求項１９乃至２５の何れか一に記載の複数の計量部位を有する計量機の使用方法。
【請求項２７】
野菜・食品等を秤量するための複数の計量部位を有する計量機の使用方法において、
該計量機の各計量部位は近傍にマトリクス表示素子を備え、
該計量機の各計量部位に於いて秤量を行うにあたり、予め設定された目標とする１包装の重量に対する実重量の差分を計算する機構と、
該差分から目標とする１包装の重量に達するために追加あるいは取り除く個数を計算する機構と、
該マトリクス表示素子に該計算された追加あるいは取り除く個数を表示する機構とを備え、
該追加あるいは取り除く個数を計算する基準となる標準個別重量の設定において、
手動及び／又は自動設定機構を備えることを特徴とする、
請求項１９乃至２６の何れか一に記載の複数の計量部位を有する計量機の使用方法。
【請求項２８】
該複数の計量部位を有する計量機の使用方法は、
対向する２列の計量部位を備え、
複数の作業者が同時に作業を行えることを特徴とする、
請求項１９乃至２７の何れか一に記載の複数の計量部位を有する計量機の使用方法。
【請求項２９】
該複数の計量部位を有する計量機の使用方法は、
複数の計量部位のうち応答する計量部位数を制限する機構を備え、
作業効率の向上を齎すことを特徴とする、
請求項１９乃至２８の何れか一に記載の複数の計量部位を有する計量機の使用方法。
【請求項３０】
該複数の計量部位を有する計量機の使用方法は、
計量 、計算及び表示に関してその応答速度を調整する機構を備え、
作業効率の向上を齎すことを特徴とする、
請求項１９乃至２９の何れか一に記載の複数の計量部位を有する計量機の使用方法。
【請求項３１】
該計量機に於ける計量 、計算及び表示に関してその応答速度を調整する機構は
高速モード及び低速モードの２つのモードを切り替えることができる機構であることを特徴とする、
請求項３０記載の複数の計量部位を有する計量機の使用方法。
【請求項３２】
該複数の計量部位を有する計量機の使用方法は、
各計量部位の計量皿に載置された秤量対象物の一部または全部が取り去られ或いは追加された場合、即ち１個或いは複数の秤量部のいずれかの計測値が一定以上変動した場合に、自動的に再計算を行い、再度結果表示を行うことを特徴とする、
請求項１９乃至３１の何れか一に記載の複数の計量部位を有する計量機の使用方法。
【請求項３３】
該複数の計量部位を有する計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１９乃至２２の何れか一に記載の複数の計量部位を有する計量機の使用方法。
【請求項３４】
該計量機は、
ソフトウェアの追加或いは既に搭載されたソフトウェアの切り替えにより、
組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする、
請求項１９乃至３３の何れか一に記載の複数の計量部位を有する計量機の使用方法。
【請求項３５】
該計量機は、
ＵＳＢメモリを含む外部記憶装置を接続する機構を有し、
データの保管及び管理が可能であることを特徴とする、
請求項１９乃至３４の何れか一に記載の複数の計量部位を有する計量機の使用方法。
【請求項３６】
該計量機は、
対象物品の価格データ等との統合計算を行う機能を有し、
荷受処理、出荷処理、伝票発行及びネットワークを介してのこれらのデータの転送或いは送受信が可能であることを特徴とする、
請求項１９乃至３５の何れか一に記載の複数の計量部位を有する計量機の使用方法。
【発明の詳細な説明】
【技術分野】
【０００１】
本発明は、野菜・食品等を秤量するための計量機或いは複数の計量部位を有する計量機において、簡便な構成で効率の良い秤量が可能な、複数の計量部位を有する計量機及び複数の計量部位を有する計量機の使用方法に関するものである。
【背景技術】
【０００２】
野菜・食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。しかし、個別の農家や小規模の出荷組合等に於いては大規模で高価な自動機の組み合わせ計量機を導入する余裕はなく、手作業による秤量選別が行われているのが実情である。
【０００５】
簡便な構成で簡便な構成で効率の良い秤量が可能な、複数の計量部位を有する計量機及び複数の計量部位を有する計量機の使用方法が求められているが、通常は単体の秤を用いていることが多く、効率の良い製品は実用化されていない。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。
【０００８】
これらの課題を解決するため、筆者らは、簡素な構成でコストが安く、効率の良い作業が可能な組み合わせ計量機を開発してきている。
【０００９】
野菜・食品等のうちには、例えばミニトマトのように１包装に必要な個数が多く、それぞれの包装ごとに個数の調整が必要なものがある。
【００１０】
これらに対応するため、例えばミニトマトのように１包装に必要な個数が多い対象に関しても簡便な構成で効率の良い秤量が可能な、複数の計量部位を有する計量機及び複数の計量部位を有する計量機の使用方法が求められていた。
【課題を解決するための手段】
【００１１】
本発明は、野菜・食品等を秤量するための複数の計量部位を有する計量機及びその使用方法において、該計量機の各計量部位は近傍にマトリクス表示素子を備え、該計量機の各計量部位に於いて秤量を行うにあたり、予め設定された目標とする１包装の重量に対する実重量の差分を計算する機構と、該差分から目標とする１包装の重量に達するために追加あるいは取り除く個数を計算する機構と、該マトリクス表示素子に該計算された追加あるいは取り除く個数を表示する機構と、秤量が予め設定された目標とする１包装の重量に適合した場合に該マトリクス表示素子に適当であることを示す表示をする機構とを有することを特徴とする、複数の計量部位を有する計量機及びその使用方法である。
【００１２】
本発明に於ける使用法では、該マトリクス表示素子に追加あるいは取り除く個数が表示された場合は指示された個数を追加あるいは取り除き、該マトリクス表示素子に丸印、全点灯を含む秤量が好適である旨を示す記号を表示された場合はこれを完了品としてピックアップする。
【００１３】
また本発明は、該マトリクス表示素子がマトリクスＬＥＤ表示素子であることを特徴とする。また本発明は、該計算された追加あるいは取り除く個数の表示に於いて、追加が必要な場合は追加すべき個数を示す数字を、取り除く必要がある場合は取り除くべき個数を示すマイナス記号を付した数字を表示することを特徴とする。
【００１４】
また本発明は、該計算された追加あるいは取り除く個数の表示に於いて、追加が必要な場合は追加すべき個数を示す数字を、取り除く必要がある場合は取り除くべき個数を示すマイナス記号を付した数字を表示し、該計算された追加あるいは取り除く個数の表示に於いて、さらにその発光色を異なって設定されていることを特徴とする。
【００１５】
また本発明は、秤量が予め設定された目標とする１包装の重量に適合した場合に、該マトリクス表示素子に丸印、全点灯を含む秤量が好適である旨を示す記号を表示し、さらにその発光色は追加あるいは取り除く個数の表示とは異なって設定されていることを特徴とする。
【００１６】
また本発明は、該計量機の各計量部位に於いて秤量を行うにあたり、複数の計量部位は夫々独立且つ並行して計算及び表示を行うことを特徴とする。
【００１７】
また本発明は、該計量機の各計量部位近傍のマトリクス表示素子に於ける表示が、載置或いは追加又は取り除き後の計算中は点滅表示であり、計算終了後には連続点灯となることを特徴とする。
【００１８】
また本発明は、該予め設定された目標とする１包装の重量の下限及び許容範囲を含めた上限を手動で設定できることを特徴とする。
【００１９】
また本発明は、野菜・食品等を秤量するための複数の計量部位を有する計量機において、該計量機の各計量部位は近傍にマトリクス表示素子を備え、該計量機の各計量部位に於いて秤量を行うにあたり、予め設定された目標とする１包装の重量に対する実重量の差分を計算する機構と、該差分から目標とする１包装の重量に達するために追加あるいは取り除く個数を計算する機構と、該マトリクス表示素子に該計算された追加あるいは取り除く個数を表示する機構とを備え、該追加あるいは取り除く個数を計算する基準となる標準個別重量の設定において、手動及び／又は自動設定機構を備えることを特徴とする。
【００２０】
また本発明は、該複数の計量部位を有する計量機が対向する２列の計量部位を備え、複数の作業者が同時に作業を行えることを特徴とする。
【００２１】
また本発明は、該複数の計量部位を有する計量機が複数の計量部位のうち応答する計量部位数を制限する機構を備え、作業効率の向上を齎すことを特徴とする。また本発明は、該複数の計量部位を有する計量機が計量 、計算及び表示に関してその応答速度を調整する機構を備え、作業効率の向上を齎すことを特徴とする。
【００２２】
また本発明は、該計量機に於ける計量 、計算及び表示に関してその応答速度を調整する機構が高速モード及び低速モードの２つのモードを切り替えることができる機構であることを特徴とする。また本発明は、該複数の計量部位を有する計量機が各計量部位の計量皿に載置された秤量対象物の一部または全部が取り去られ或いは追加された場合、即ち１個或いは複数の秤量部のいずれかの計測値が一定以上変動した場合に、自動的に再計算を行い、再度結果表示を行うことを特徴とする。
【００２３】
また本発明は、該複数の計量部位を有する計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００２４】
また本発明は、該計量機がソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする。
【００２５】
また本発明は、該計量機がＵＳＢメモリを含む外部記憶装置を接続する機構を有し、データの保管及び管理が可能であることを特徴とする。
【００２６】
また本発明は、該計量機が対象物品の価格データ等との統合計算を行う機能を有し、荷受処理、出荷処理、伝票発行及びネットワークを介してのこれらのデータの転送或いは送受信が可能であることを特徴とする。
【発明の効果】
【００２７】
本発明に係る複数の計量部位を有する計量機及び複数の計量部位を有する計量機の使用方法は、例えばミニトマトのように１包装に必要な個数が多い対象に関しても簡便な構成で効率の良い秤量が可能となり、計量機の用途を拡大することを可能とし、作業効率を向上させ、もって社会に資することが出来る。
【図面の簡単な説明】
【００２８】
【図１】図１は、本発明に係る複数の計量部位を有する計量機の使用形態を説明するための図面代用写真である。
【発明を実施するための形態】
【００２９】
本発明は、野菜・食品等を秤量するための複数の計量部位を有する計量機及びその使用方法において、該計量機の各計量部位は近傍にマトリクス表示素子を備え、該計量機の各計量部位に於いて秤量を行うにあたり、予め設定された目標とする１包装の重量に対する実重量の差分を計算する機構と、該差分から目標とする１包装の重量に達するために追加あるいは取り除く個数を計算する機構と、該マトリクス表示素子に該計算された追加あるいは取り除く個数を表示する機構と、秤量が予め設定された目標とする１包装の重量に適合した場合に該マトリクス表示素子に適当であることを示す表示をする機構とを有することを特徴とする、複数の計量部位を有する計量機及びその使用方法である。
【００３０】
本発明に於ける使用法では、該マトリクス表示素子に追加あるいは取り除く個数が表示された場合は指示された個数を追加あるいは取り除き、該マトリクス表示素子に丸印、全点灯を含む秤量が好適である旨を示す記号を表示された場合はこれを完了品としてピックアップする。
【００３１】
また本発明は、該マトリクス表示素子がマトリクスＬＥＤ表示素子であることを特徴とする。また本発明は、該計算された追加あるいは取り除く個数の表示に於いて、追加が必要な場合は追加すべき個数を示す数字を、取り除く必要がある場合は取り除くべき個数を示すマイナス記号を付した数字を表示することを特徴とする。
【００３２】
また本発明は、該計算された追加あるいは取り除く個数の表示に於いて、追加が必要な場合は追加すべき個数を示す数字を、取り除く必要がある場合は取り除くべき個数を示すマイナス記号を付した数字を表示し、該計算された追加あるいは取り除く個数の表示に於いて、さらにその発光色を異なって設定されていることを特徴とする。
【００３３】
また本発明は、秤量が予め設定された目標とする１包装の重量に適合した場合に、該マトリクス表示素子に丸印、全点灯を含む秤量が好適である旨を示す記号を表示し、さらにその発光色は追加あるいは取り除く個数の表示とは異なって設定されていることを特徴とする。
【００３４】
また本発明は、該計量機の各計量部位に於いて秤量を行うにあたり、複数の計量部位は夫々独立且つ並行して計算及び表示を行うことを特徴とする。
【００３５】
また本発明は、該計量機の各計量部位近傍のマトリクス表示素子に於ける表示が、載置或いは追加又は取り除き後の計算中は点滅表示であり、計算終了後には連続点灯となることを特徴とする。
【００３６】
また本発明は、該予め設定された目標とする１包装の重量の下限及び許容範囲を含めた上限を手動で設定できることを特徴とする。
【００３７】
また本発明は、野菜・食品等を秤量するための複数の計量部位を有する計量機において、該計量機の各計量部位は近傍にマトリクス表示素子を備え、該計量機の各計量部位に於いて秤量を行うにあたり、予め設定された目標とする１包装の重量に対する実重量の差分を計算する機構と、該差分から目標とする１包装の重量に達するために追加あるいは取り除く個数を計算する機構と、該マトリクス表示素子に該計算された追加あるいは取り除く個数を表示する機構とを備え、該追加あるいは取り除く個数を計算する基準となる標準個別重量の設定において、手動及び／又は自動設定機構を備えることを特徴とする。
【００３８】
また本発明は、該複数の計量部位を有する計量機が対向する２列の計量部位を備え、複数の作業者が同時に作業を行えることを特徴とする。
【００３９】
また本発明は、該複数の計量部位を有する計量機が複数の計量部位のうち応答する計量部位数を制限する機構を備え、作業効率の向上を齎すことを特徴とする。
【００４０】
また本発明は、該複数の計量部位を有する計量機が計量 、計算及び表示に関してその応答速度を調整する機構を備え、作業効率の向上を齎すことを特徴とする。
【００４１】
また本発明は、該計量機に於ける計量 、計算及び表示に関してその応答速度を調整する機構が高速モード及び低速モードの２つのモードを切り替えることができる機構であることを特徴とする。
【００４２】
また本発明は、該複数の計量部位を有する計量機が各計量部位の計量皿に載置された秤量対象物の一部または全部が取り去られ或いは追加された場合、即ち１個或いは複数の秤量部のいずれかの計測値が一定以上変動した場合に、自動的に再計算を行い、再度結果表示を行うことを特徴とする。
【００４３】
また本発明は、該複数の計量部位を有する計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００４４】
また本発明は、該計量機がソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いられることを特徴とする。
【００４５】
また本発明は、該計量機がＵＳＢメモリを含む外部記憶装置を接続する機構を有し、データの保管及び管理が可能であることを特徴とする。
【００４６】
また本発明は、該計量機が対象物品の価格データ等との統合計算を行う機能を有し、荷受処理、出荷処理、伝票発行及びネットワークを介してのこれらのデータの転送或いは送受信が可能であることを特徴とする。
【実施例１】
【００４７】
図１は、本発明に係る複数の計量部位を有する計量機の使用形態を説明するための図面代用写真である。本発明に係る複数の計量部位を有する計量機は、野菜・食品等を秤量するための複数の計量部位を有する計量機及びその使用方法において、該計量機の各計量部位は近傍にマトリクス表示素子を備え、該計量機の各計量部位に於いて秤量を行うにあたり、予め設定された目標とする１包装の重量に対する実重量の差分を計算する機構と、該差分から目標とする１包装の重量に達するために追加あるいは取り除く個数を計算する機構と、該マトリクス表示素子に該計算された追加あるいは取り除く個数を表示する機構と、秤量が予め設定された目標とする１包装の重量に適合した場合に該マトリクス表示素子に適当であることを示す表示をする機構とを有する。
【００４８】
本実施例に於いては、ミニトマトの秤量に本発明に係る複数の計量部位を有する計量機を用いている。なお、本発明に係る複数の計量部位を有する計量機は、ミニトマト以外にも１包装に必要な個数が多い野菜、果物或いはその他の食品等の対象に有効に用いられる。
【００４９】
複数の計量部位を有する計量機本体１は、筆者らが開発上市している組み合わせ計量機と同様の形態である。ただし、本発明の実施に於いては夫々の計量部位は独立且つ並行して機能する。
【００５０】
なお本発明の計量機は、前記のように筆者らが開発上市している組み合わせ計量機と同様の形態であるから、ソフトウェアの追加或いは既に搭載されたソフトウェアの切り替えにより、組み合わせ計量、親子計量（複数の秤量部位のうち１箇所或いは複数箇所をメインの秤量に割り当て、少量の追加により組み合わせを得る計量方法）或いは重量ランク選別（１個あたりの重さによるＳ・Ｍ・Ｌなどの重量ランクの選別計量）としても用いることができる。
【００５１】
また本発明の計量機は、ＵＳＢメモリを含む外部記憶装置を接続する機構を有し、データの保管及び管理が可能とすることも出来、さらに、該計量機が対象物品の価格データ等との統合計算を行う機能を有し、荷受処理、出荷処理、伝票発行及びネットワークを介してのこれらのデータの転送或いは送受信が可能とすることも出来るため、例えば季節により出荷品目、対象商品が変わった場合にも容易に低コストで対応することができる。
【００５２】
目標とする１包装の重量の下限及び許容範囲を含めた上限は、手動に入力により予め設定される。また、追加あるいは取り除く個数を計算する基準となる標準個別重量の設定は手動及び／又は自動設定機構を備えている。なお、本実施例では手動設定を用いた。
【００５３】
本発明に於ける使用方法では、マトリクス表示素子に追加あるいは取り除く個数が表示された場合は指示された個数を追加あるいは取り除き、該マトリクス表示素子に丸印、全点灯を含む秤量が好適である旨を示す記号を表示された場合はこれを完了品としてピックアップする。
【００５４】
マトリクス表示素子としてはマトリクスＬＥＤ表示素子を用いた。これにより、明るく視認しやすい表示となり、作業効率が向上している。本実施例に於いては、ミニトマトの袋詰めにあたり、計量部位２に目分量でミニトマトを入れて載置すると計算が行われ、指示内容或いは結果がマトリクス表示素子に表示される。
【００５５】
該計算された追加あるいは取り除く個数の表示に於いて、追加が必要な場合は追加すべき個数を示す数字を、取り除く必要がある場合は取り除くべき個数を示すマイナス記号を付した数字を表示する。本実施例に於いては追加する個数を表示した例３に於いては赤色表示で「１」を指示し、取り除く個数を表示した例４に於いては同じく赤色表示で「ー４」を指示している。ここで、かかる表示は増減により色を変えることも有効である。
【００５６】
本発明に於いては、秤量が予め設定された目標とする１包装の重量に適合した場合、適合する旨を表示した例５のようにマトリクス表示素子に青色の丸印を表示している。もちろん、その他の表示により適合の指示を行っても全く問題はない。
【００５７】
増減の指示により追加或いは取り除きを行った場合、自動的に再計算を行い、再度結果表示を行うようになっている。
【００５８】
本発明に於いては、該複数の計量部位を有する計量機が対向する２列の計量部位を備え、複数の作業者が同時に作業を行えるようになっており、作業効率が高い。
【００５９】
本発明に於いては、複数の計量部位を有する計量機が複数の計量部位のうち応答する計量部位数を制限する機構を備えることも有効であった。これは、人間の認識、記憶、動作に関する限界に対して指示内容が多すぎる場合かえって作業効率が低下することを防止するものであり、本実施例に於いては増減の指示を表示する部位を３箇所までに制限して用いたところ、非常に効率が向上することがわかった。
【００６０】
また本発明に於いては、複数の計量部位を有する計量機が計量 、計算及び表示に関してその応答速度を調整する機構を備えている。本実施例に於いては高速モード及び低速モードの２つのモードを切り替えて用いるようにした。かかる対象に関する秤量の場合、高速モードではエラーが頻発し、かえって作業効率を低下させることが多く、この場合低速モードで作業することが結果的に作業効率の向上を齎すことができた。
【００６１】
複数の計量部位を有する計量機に用いられる計量皿としては、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたものが好適に用いられる。
【００６２】
以上述べてきたように、本発明に係る複数の計量部位を有する計量機及びその使用方法は、簡便な構成でミニトマトのように１包装に必要な個数が多い対象に関しても簡便な構成で効率の良い秤量が可能となり、作業効率を向上させ、さらに個別の農家や小規模の出荷組合等に於いても導入可能となり、作業効率の向上と農家所得の増大に与って効果のあるものとなった。
【産業上の利用可能性】
【００６３】
本発明に係る複数の計量部位を有する計量機及びその使用方法は、ミニトマトのように１包装に必要な個数が多い対象に関しても簡便な構成で効率の良い秤量が可能となり、計量機の用途を拡大することを可能とし、作業効率を向上させ、産業上の利用可能性は大である。
【符号の説明】
【００６４】
１    複数の計量部位を有する計量機本体
２    計量部位
３    追加する個数を表示した例
４    取り除く個数を表示した例
５    適合する旨を表示した例
【図１】
2020008359.tif 000003